(57)【特許請求の範囲】
【請求項１】
コンピュータをネットワークに接続する一つ以上の通信手段と、複数の接続のための設定情報を記録する設定情報記録手段と、前記設定情報記録手段に記録された設定情報から接続のための設定情報を選択する設定情報選択手段と、前記設定情報記録手段に記録された接続のための設定情報の追加、削除及び変更を行う設定情報編集手段と、前記設定情報選択手段によって選択された設定情報に従ってコンピュータをネットワークに接続するネットワーク接続手段と、コンピュータとの通信手段とを具備し、
コンピュータからの要求が設定選択要求または設定編集要求である場合は、コンピュータに擬似的なネットワークアドレスを付与し、前記擬似的なネットワークアドレスによるコンピュータとのネットワーク通信により、前記設定情報選択手段が、前記設定情報記録手段に記録された設定情報から接続のための設定情報の選択を行う、または前記設定情報編集手段が、前記設定情報記録手段に記録された接続のための設定情報の追加、削除、変更を行う通信装置において、
コンピュータから設定選択要求があった場合に、該設定選択要求に対する受付番号を利用者に発行するとともに、前記設定情報選択手段によって選択した設定情報と前記受付番号を対応付けて前記設定情報記録手段に記録し、
コンピュータからの接続要求に前記受付番号が付加されている場合は、前記受付番号を元に、前記設定情報記録手段に対応付けられた設定情報が存在するかを確認し、存在する場合は、該当する設定情報を読み込み、該設定情報を元に接続処理を行うことを特徴とする通信装置。
【請求項２】
請求項１に記載の通信装置において、設定情報はネットワークアクセスのための認証情報を含むことを特徴とする通信装置。
【請求項３】
請求項１又は２に記載の通信装置において、コンピュータと接続した際に、コンピュータから標準的なモデム装置と認識され、前記選択された設定情報に従ってコンピュータをネットワークに接続する手段に対する接続要求を、コンピュータからの標準的なダイアルアップ接続要求によって行うことを特徴とする通信装置。
【請求項４】
請求項３に記載の通信装置において、前記ダイアルアップ接続要求で、接続先電話番号があらかじめ決まっている特殊な番号であった場合、前記設定選択要求または前記設定編集要求であると判断し、この要求に対して、コンピュータに擬似的なネットワークアドレスを付与し、その上でコンピュータとネットワーク通信を行うことを特徴とする通信装置。
【請求項５】
請求項１に記載の通信装置において、通信装置内にネットワークアドレス管理サーバを持ち、コンピュータと接続した際に、コンピュータから標準的なイーサネット（登録商標）通信装置と認識され、コンピュータからのネットワークアドレス要求に対して、前記設定選択要求または前記設定編集要求であると判断し、この要求に対して、前記ネットワークアドレス管理サーバが擬似的なネットワークアドレスを付与し、その上でコンピュータとネットワーク通信を行うことを特徴とする通信装置。
【請求項６】
請求項５に記載の通信装置において、前記ネットワークアドレス管理方式がＤＨＣＰであることを特徴とする通信装置。
【請求項７】
請求項４乃至６のうちいずれか１項に記載の通信装置において、前記付与された擬似的なネットワークアドレスを用い、コンピュータから前記Ｗｅｂブラウザを通して設定情報選択、設定情報の追加、削除及び変更を行うことを特徴とする通信装置。
【発明の詳細な説明】
【０００１】
【発明の属する技術分野】
本発明は、コンピュータに接続し、コンピュータをネットワークに接続するための通信装置に関するものである。
【０００２】
【従来技術】
一般的に、コンピュータをダイアルアップ、或いはＬ２ＴＰ（Ｌayer ２ Ｔunneling Ｐrotcol）、ＩＰＳec（Ｉnternet ＰrotcolＳec）などのトンネリングで遠隔のネットワークに接続する場合、また、ＬＡＮ（Ｌocal Ａrea Ｎetwork）に接続する場合、従来は接続に必要なアクセスサーバの電話番号やネットワークアドレス、利用者のパスワードなど、ネットワークの各種設定情報をあらかじめ利用者がコンピュータに設定、保存しておき、利用時に希望の設定を選択し、接続を行っている。
【０００３】
通信網に接続するための設定情報をコンピュータから着脱可能な装置内に保持する技術として、特願平１１−３２３４４６号、特願平１０−１９２１２５号、特願平９−８３６１号などがある。特に、特願平１１−３２３４４６号の明細書には、通信装置と携帯電話などの通信端末間の通信にＢluetooth方式の無線ＬＡＮを用いることにより通信装置の小型化を実現し、デジタルカメラなどの小型機器でも通信装置を利用できるようにした方法が記載されている。Ｂluetooth対応通信装置内に外部ネットワークヘの接続情報を保持する機能を備えている。
【０００４】
特願平１０−１９２１２５号の明細書には、インターネット上の、特定のサーバ上の情報を利用者に容易に閲覧できるように、情報記憶カード内に接続ＩＤ及び接続先情報を保持し、自動的に接続、情報の取得という一連のプロセスを実行する装置が記載されている。
【０００５】
特願平９−８３６１号の明細書には、ＴＶやビデオＣＤプレーをネットワークに接続するための装置で、着脱可能なＩＣカードに接続のための設定情報を保持していることが記載されている。
【０００６】
【発明が解決しようとする課題】
コンピュータの携帯性能の向上及び価格の低下に従い、個人で複数のコンピュータを状況に応じて使い分ける、また、会社、自宅、インターネットカフェなどさまざまなネットワーク環境からネットワークヘ接続するというコンピュータの利用方法が増えてきている。前記従来の接続のための設定情報をコンピュータに保持する方法では、利用するコンピュータ、或いは利用可能なネットワーク環境が変わる毎に、通信のための設定をやり直し、或いは設定の削除をしなくてはならず、仮想プライベートネットワーク接続の設定やインターネットサービスプロバイダヘのアクセスポイント情報などの多量で複雑な設定情報を常にコンピュータ利用者が保持している必要があり、コンピュータ利用者自身による情報管理の負担が大きかった。
【０００７】
従来の接続のための情報を着脱可能な装置内に保持する技術は、いくつかあるが、複数のＩＳＰ(Ｉnternational Ｓtandardization Ｐrofile）やＶＰＮ（Ｖirtual Ｐrivate Ｎetwork）への接続設定情報を保持し、利用環境によって利用者が切り替えて利用できるものはなかった。
【０００８】
本発明の目的は、通信のための設定情報の持ち運びを可能とし、ネットワーク設定情報を持たないコンピュータに接続した場合でも個別の設定情報を常に利用できることが可能な技術を提供することにある。
本発明の前記ならびにその他の目的と新規な特徴は、本明細書の記述及び添付図面によって明らかにする。
【０００９】
【課題を解決するための手段】
本願において開示される発明の概要を簡単に説明すれば、下記のとおりである。
第１の発明は、コンピュータをネットワークに接続する一つ以上の通信手段と、複数の接続のための設定情報を記録する設定情報記録手段と、前記設定情報記録手段に記録された設定情報から接続のための設定情報を選択する設定情報選択手段と、前記設定情報記録手段に記録された接続のための設定情報の追加、削除及び変更を行う設定情報編集手段と、前記設定情報選択手段によって選択された設定情報に従ってコンピュータをネットワークに接続するネットワーク接続手段と、コンピュータとの通信手段とを具備し、コンピュータからの要求が設定選択要求または設定編集要求である場合は、コンピュータに擬似的なネットワークアドレスを付与し、前記擬似的なネットワークアドレスによるコンピュータとのネットワーク通信により、前記設定情報選択手段が、前記設定情報記録手段に記録された設定情報から接続のための設定情報の選択を行う、または前記設定情報編集手段が、前記設定情報記録手段に記録された接続のための設定情報の追加、削除、変更を行う通信装置である。
【００１０】
第１の発明によれば、コンピュータと脱着可能で、装置内にコンピュータ利用者のネットワーク接続のための設定情報を記録し、コンピュータ利用者がどのようなコンピュータを利用する場合でも、設定情報を新しく作る必要が無く、常に自分の設定が利用できる。
【００１１】
例えば、インターネットサービスプロバイダヘの接続情報や、イーサネット（登録商標）でのＬＡＮ接続、また、遠隔の閉域網への仮想プライベートネットワーク接続のための設定情報などのネットワーク設定情報を保持し、さまざまなネットワーク接続形態に対応することができる。
【００１２】
すなわち、コンピュータ利用者はネットワークヘの接続のための設定情報を全て記憶しておく必要が無く、どのコンピュータを利用した場合でも常に同じ設定情報を利用することができる。また、設定情報がコンピュータに保存されることが無いので、個人情報が漏えいする危険性を低くすることができる。
【００１３】
また、コンピュータから利用者が設定情報の追加、削除及び変更ができるので、さまざまなネットワーク接続形態に対応することができる。
【００１４】
第２の発明は、前記第１の発明の通信装置において、設定情報にネットワークアクセスのための認証情報を含むことを特徴とする。
【００１５】
第２の発明によれば、ネットワーク接続のための認証情報を保持するので、パスワードなどの秘密情報が複数のコンピュータ上に保存されることを防くことができる。
【００１６】
第３の発明は、前記第１又は２の発明の通信装置において、コンピュータと接続した際に、コンピュータから標準的なモデム装置と認識され、前記選択された設定情報に従ってコンピュータをネットワークに接続する手段に対する接続要求を、コンピュータからの標準的なダイアルアップ接続要求によって行うことを特徴とする。
【００１７】
第４の発明は、前記第３の発明の通信装置において、前記ダイアルアップ接続要求で、接続先電話番号があらかじめ決まっている特殊な番号であった場合、前記設定選択要求または前記設定編集要求であると判断し、この要求に対して、コンピュータに擬似的なネットワークアドレスを付与し、その上でコンピュータとネットワーク通信を行うことを特徴とする。
【００１８】
第５の発明は、前記第１の発明の通信装置において、通信装置内にネットワークアドレス管理サーバを持ち、コンピュータと接続した際に、コンピュータから標準的なイーサネット通信装置と認識され、コンピュータからのネットワークアドレス要求に対して、前記設定選択要求または前記設定編集要求であると判断し、この要求に対して、前記ネットワークアドレス管理サーバが擬似的なネットワークアドレスを付与し、その上でコンピュータとネットワーク通信を行うことを特徴とする。
【００１９】
第６の発明は、前記第５の発明の通信装置において、前記ネットワークアドレス管理方式がＤＨＣＰであることを特徴とする。
【００２０】
第３乃至第６の発明によれば、コンピュータから本通信装置に対してＷＷＷブラウザなどの標準的なネットワークアプリケーションを用いて通信が可能であり、設定情報の編集や選択の際に特別なソフトウェアが不要となり、どのコンピュータからでも設定情報の編集や選択が可能となる。
【００２１】
第７の発明は、前記第４乃至第６のうちいずれか１つの発明の通信装置において、通信装置内にＷｅｂサーバを持ち、前記付与された擬似的なネットワークアドレスを用い、コンピュータからＷｅｂブラウザを通して設定情報選択、設定情報の追加、削除及び変更を行うことを特徴とする。
【００２２】
第８の発明は、前記第７の発明の通信装置において、Ｗｅｂブラウザを通じて接続要求を受け取り、前記設定した接続情報を用いてネットワークに接続する。
【００２３】
第９の発明は、前記第８の発明の通信装置において、前記設定情報選択手段により選択した設定情報を利用するための受付番号を、Ｗｅｂブラウザを通して利用者に発行し、前記接続要求に受付番号を接続要求内に加えることにより該当設定情報を用いて接続を行うことを特徴とする。
【００２４】
第９の発明によれば、登録番号を暗証番号として用いることにより、利用者以外が装置内に設定済みの接続情報を容易に利用できないようにすることができる。
【００２８】
以下に、本発明について、本発明による実施形態（実施例）とともに図面を参照して詳細に説明する。
【００２９】
【発明の実施の形態】
（実施例１）
図１は本発明の実施例１の通信装置の概略構成を示すブロック図である。
本実施例１の通信装置（以下、本通信装置１０と呼ぶ）は、図１に示すように、コンピュータ１００と接続されるコンピュータインタフェース部１、情報入出処理部２、設定情報記録部３、通信設定処理部４、及び通信制御部５で構成されている。
【００３０】
前記本通信装置１０は、前記コンピュータ１００と接続し、対コンピュータインタフェース部１を通して通信を行い、コンピュータ１００からの接続要求、設定情報編集要求、設定情報選択要求を受け取る。設定情報は情報入出処理部２を通じて設定情報記録部３に記録される。コンピュータ１００から接続要求を受け取った場合、通信設定処理部４は、情報入出処理部２から、選択された設定情報を読み込み、通信制御部５を通じて通信網（ネットワーク）２００に接続し、通信を行う。
【００３１】
前記対コンピュータインタフェース部１はＵＳＢ（Ｕniver Ｓerial Ｂus）もしくはＰＣＭＣＩＡ（Ｐuls Ｃode Ｍodulation Ｃentral Ｉntelligence Ａgency）など、一般的なコンピュータに標準的に付属している、インターフェースを利用してコンピュータ１００と接続し、標準モデムのような一般的な通信機器としてコンピュータ１００から認識される。このことにより、どのようなコンピュータ１００と接続しても容易に本通信装置１０を利用することが可能となる。
【００３２】
標準モデムとして認識される場合は、接続要求はＰＰＰ（Ｐoint to Ｐoint Ｐrotcol）接続と同様の手順で本通信装置１０に対して行われる。また、対コンピュータインタフェース部１は、コンピュータ１００をネットワーク２００に接続せずに、擬似的なネットワークアドレスをコンピュータ１００に与える機能及びＨＴＴＰなどの標準的な通信プロトコル処理機能を持ち、設定情報の編集及び選択は、本通信装置１０から与えられた擬似ネットワークアドレスを利用して、本通信装置１０との間でＨＴＴＰ（Ｈyper-Ｔext Ｔransfer Ｐrotcol）等の一般的な通信プロトコルを利用して行う。
【００３３】
設定情報の編集或いは選択の要求と、ネットワーク接続要求との区別は、ダイアルアップ接続の電話番号などを特別な番号にして送ることで行う。
【００３４】
前記通信制御部５はＩＳＤＮ（Ｉntegrated Ｓervice Ｄigital Ｎetwork)、ＰＨＳ（Ｐersonal Ｈandy-phone Ｓystem）、イーサネット、無線ＬＡＮなどの一つ以上の通信路を持ち、それぞれの通信路からインターネットサービスプロバイダ、ＬＡＮ、仮想閉域ネットワークなどに接続するための複数のプロトコル、例えばＰＰＰ、ＰＰＰｏＥ、ＤＨＣＰ、ＩＰＳｅｃ、Ｌ２ＴＰ、Ｌ２Ｆ、ＰＰＴＰ（Ｐoint to Ｐoint Ｔransfer Ｐrotcol）などを処理できる機能を持つ。通信設定処理部４より接続要求を受け取った場合、通信制御部５は接続のための適切な通信路及び通信プロトコルを選択し、設定情報を元にネットワーク接続を行う。
【００３５】
通信制御部５において、ネットワーク２００からの接続を一度終端し、対コンピュータインタフェース部１を通して、コンピュータ１００にデータを送信する。このため、何れの通信路を利用しても、コンピュータ１００から見て同一のインターフェースでの通信を行うことができる。
【００３６】
次に、本通信装置１０の動作の流れを図２に示す。
本通信装置１０は、対コンピュータインタフェース部１を通してコンピュータ利用者の要求を受取る（ステップ１０１）。対コンピュータインタフェース部１は要求が接続、設定選択、設定編集のいずれかであるかを判断する（ステップ１０２,１０８）。
【００３７】
前記ステップ１０２における判断は、接続要求である、ダイアルアップ接続要求の電話番号が特殊番号（例えば００００）である場合、要求は設定変更、設定選択要求である。この際、ダイアルアップ接続要求に含まれるパスワードをあらかじめ装置内に登録してあるパスワードと一致するかを確認し、一致する場合のみ要求を受け取る。
【００３８】
前記ステップ１０８における判断は、Ｗｅｂページを通じて利用者からの要求を受け取ることで行う。設定編集要求である場合（ｎｏ）、対コンピュータインタフェース部１はコンピュータに擬似アドレスを付与（ステップ１０７）し、対コンピュータインタフェース部１の持つＨＴＴＰ処理機能を用いてコンピュータ上の一般的なＷｅｂブラウザを通じて利用者からの編集内容をコンピュータ１００から受け取り、情報入出処理部２を通じて、設定情報の追加／削除／変更を行い（ステップ１１１）、設定情報の更新を行う（ステップ１１２）。
【００３９】
設定選択要求である場合、対コンピュータインタフェース部１は擬似アドレスを付与（ステップ１０７）し、対コンピュータインタフェース部の持つＨＴＴＰ処理機能を用い、コンピュータ１００上の一般的なＷｅｂブラウザを通じて、設定情報記録部３に記録されている選択可能な設定情報をコンピュータ利用者に表示し（ステップ１０９）、選択された設定情報を設定情報記録部３に記録する（ステップ１１０）。また、同時にＷｅｂブラウザを通じて受付番号を利用者に発行する。
【００４０】
前記ステップ１０２における判断で接続要求である場合（ｙｅｓ）、通信設定処理部４はダイアルアップ接続要求に付加されている受付番号を抽出し、受付番号を元に、情報入出処理部２を通じて設定情報記録部３に選択済みの設定情報が存在するかを確認し（ステップ１０３）、存在する場合（ｙｅｓ）は、該当設定情報を読み込み（ステップ１０４）、設定情報を元に通信制御部５に対して接続処理を行う（ステップ１０５）。通信制御部５は通信設定処理部４からの要求を元に適切な通信路及び通信プロトコルを選択し、ネットワーク接続を行う（ステップ１０６）。
【００４１】
図３〜図７に設定情報の例を示す。図３はコンピュータ１００をＰＰＰを利用してインターネットサービスプロバイダに接続する際に用いる設定情報の例である。図４はＰＰＰを利用する際の、インターネットサービスプロバイダのアクセスポイント情報の例である。図５はコンピュータ１００を、ＩＰＳecを利用して閉域網に接続する際に用いる設定情報の例である。図６はコンピュータ１００を、Ｌ２ＴＰを利用して閉域網に接続する際に用いる設定情報の例である。図７はコンピュータ１００を、ＰＰＰｏＥを利用して閉域網に接続する際に用いる設定情報の例である。
【００４２】
（実施例２）
本発明の実施例２の通信装置（以下、本通信装置２０と呼ぶ）は、前記実施例１の通信装置１０の構成（図１）と同様であるが、対コンピュータインタフェースが標準的なイーサネットアダプタとして認識される形態である。
【００４３】
本通信装置２０は、コンピュータ１００と接続し、対コンピュータインタフェース部１を通して通信を行い、コンピュータ１００からの接続要求、設定情報編集要求、設定情報選択要求を受け取る。設定情報は情報入出処理部２を通じて設定情報記録部３に記録される。コンピュータ１００から接続要求を受け取った場合、通信設定処理部４は、情報入出処理部２から、選択された設定情報を読み込み、通信制御部５を通じてネットワーク２００に接続し、通信を行う。
【００４４】
前記対コンピュータインタフェース部１はＵＳＢもしくはＰＣＭＣＩＡなど、一般的なコンピュータ１００に標準的に付属している。インターフェースを利用してコンピュータ１００と接続し、ＮＥ２０００のような標準的なイーサネットアダプタとしてコンピュータ１００から認識される。このことにより、どのようなコンピュータ１００と接続しても容易に本通信装置２０を利用することが可能となる。
【００４５】
標準イーサネットアダプタとして認識される場合は、コンピュータ１００からのＤＨＣＰ要求に応答できるようなＤＨＣＰサーバを装置内に持ち、コンピュータ１００からの自動又は利用者による手動要求に対して、擬似的なネットワークアドレスを払い出す。
【００４６】
また、前記実施例１の本通信装置１０と同様、本通信装置２０は、ＨＴＴＰなどの標準的な通信プロトコル処理機能を持ち、設定情報の編集及び選択は、本通信装置２０から与えられた擬似ネットワークアドレスを利用して、本通信装置２０との間でＨＴＴＰ等の一般的な通信プロトコルを利用して行う。
【００４７】
前記通信制御部５は前記実施例と同様に、ＩＳＤＮ、ＰＨＳ、イーサネット、無線ＬＡＮなどの一つ以上の通信路を持ち、それぞれの通信路からインターネットサービスプロバイダ、ＬＡＮ、仮想閉域ネットワークなどに接続するための複数のプロトコル、例えば、ＰＰＰ、ＰＰＰｏＥ、ＤＨＣＰ、ＩＰＳｅｃ、Ｌ２ＴＰ、Ｌ２Ｆ（Ｌayer ２ Ｆorwading）、ＰＰＴＰなどを処理できる機能を持つ。通信設定処理部４より接続要求を受け取った場合、通信制御部５は接続のための適切な通信路及び通信プロトコルを選択し、設定情報を元にネットワーク接続を行う。通信制御部５において、ネットワーク２００からの接続を一度終端し、対コンピュータインタフェース部１を通して、コンピュータ１００にデータを送信する。このため、何れの通信路を利用しても、コンピュータ１００から見て同一のインターフェースでの通信を行うことができる。
【００４８】
次に、本通信装置２０の動作の流れを図８に示す。本通信装置２０は、対コンピュータインタフェース部１を通してコンピュータに擬似アドレスを付与し、接続する（ステップ２０１）。
【００４９】
前記対コンピュータインタフェース部１は、ＨＴＴＰ処理機能を用いてコンピュータ１００上の一般的なＷｅｂブラウザを通じて利用者からの要求を受け取り、要求が接続、設定選択、設定編集のいずれかであるかを判断する（ステップ２０２，２０７）。この際、Ｗｅｂブラウザを通して利用者からパスワードを受け取り、あらかじめ装置内に設定したあるパスワードと一致するかどうかを確認し、一致する場合のみ要求を受け取る。
【００５０】
前記ステップ２０２の判断で接続要求でない場合（ｎｏ）で、ステップ２０７の判断で設定選択要求でない場合（ｎｏ）のとき、すなわち、設定編集要求である場合、Ｗｅｂブラウザを通じて利用者からの編集内容をコンピュータ１００から受け取り、情報入出処理部２を通じて、設定情報の追加／削除／変更を行い（ステップ２１０）、設定情報の更新を行う（ステップ２１１）。
【００５１】
前記ステップ２０７の判断で設定選択要求である場合（ｙｅｓ）、Ｗｅｂブラウザを通じて、設定情報記録部３に記録されている選択可能な設定情報をコンピュータ利用者に表示し（ステップ２０８）、選択された設定情報を設定情報記録部３に記録する（ステップ２０９）。
【００５２】
前記ステップ２０２の判断で接続要求である場合（ｙｅｓ）、通信設定処理部４は、情報入出処理部２を通じて設定情報記録部３に選択済みの設定情報が存在するかを確認し（ステップ２０３）、存在する場合（ｙｅｓ）は、該当設定情報を読み込み（ステップ２０４）、設定情報を元に通信制御部５に対して接続処理を行う（ステップ２０５）。通信制御部５は通信設定処理部４からの要求を元に適切な通信路及び通信プロトコルを選択し、ネットワーク接続を行う（ステップ２０６）。前記設定情報の例は、前記実施例１と同様（図３〜図７）である。
【００５３】
以上、本発明者によってなされた発明を、前記実施形態に基づき具体的に説明したが、本発明は、前記実施形態に限定されるものではなく、その要旨を逸脱しない範囲において種々変更可能であることは勿論である。
【００５４】
【発明の効果】
本願において開示される発明によって得られる効果を簡単に説明すれば、下記のとおりである。
本発明によれば、コンピュータ利用者はネットワークヘの接続のための設定情報を全て記憶しておく必要が無く、どのコンピュータを利用した場合でも常に同じ設定情報を利用することができる。
また、設定情報がコンピュータに保存されることが無いので、個人情報が漏洩する危険性を低くすることができる。
【図面の簡単な説明】
【図１】本発明の実施例１の通信装置の概略構成を示すブロック図である。
【図２】本実施例１の通信装置の動作の流れを示すフロー図である。
【図３】本実施例１、２の設定情報（ＰＰＰの情報）の例を示す図である。
【図４】本実施例１、２の設定情報（アクセスポイントの情報）の例を示す図である。
【図５】本実施例１、２の設定情報（ＩＰＳｅｃの情報）の例を示す図である。
【図６】本実施例１、２の設定情報（Ｌ２ＴＰの情報）の例を示す図である。
【図７】本実施例１、２の設定情報（ＰＰＰ／ＰＰＰｏＥの情報）の例を示す図である。
【図８】本発明の実施例２の通信装置の動作の流れを示すフロー図である。
【符号の説明】
１００…コンピュータ              ２００…ネットワーク（通信網）
１０…本実施例１の通信装置        ２０…本実施例２の通信装置
１…コンピュータインタフェース部  ２…情報入出処理部
３…設定情報記録部                ４…通信設定処理部
５…通信制御部
【図１】
0004040298.tif 000002
【図２】
0004040298.tif 000003
【図３】
0004040298.tif 000004
【図４】
0004040298.tif 000005
【図５】
0004040298.tif 000006
【図６】
0004040298.tif 000007
【図７】
0004040298.tif 000008
【図８】
0004040298.tif 000009